(57)【要約】      （修正有）【課題】オーバーフロー時にバキュームブレーカに気泡が発生する問題のない、腰掛便器自動吐水システムおよび電子腰掛便器を提供する。【解決手段】タンク１またはバキュームブレーカ５のオーバーフロー口を腰掛便器セラミックキャビティに接続するオーバーフロー通路１３とした。オーバーフロー通路１３は、第１の端がタンク１のオーバーフロー口１６に固接され第２の端が腰掛便器の内縁吐水口に固接された第１のオーバーフロー管１６と、第１の端がバキュームブレーカ５のオーバーフロー口に固接され第２の端が腰掛便器の噴射吐水口１５に固接された第２のオーバーフロー管１８として配管した。【選択図】図１
2014145246.tif 000002
【特許請求の範囲】
【請求項１】
タンクとバキュームブレーカとを含む腰掛便器自動吐水システムであって、タンクまたはバキュームブレーカのオーバーフロー口を腰掛便器セラミックキャビティに接続する少なくとも１本のオーバーフロー通路を有することを特徴とする腰掛便器自動吐水システム。
【請求項２】
前記少なくとも１本のオーバーフロー通路は、第１の端がタンクのオーバーフロー口に固接され第２の端が腰掛便器の内縁吐水口に固接された第１のオーバーフロー管と、第１の端がバキュームブレーカのオーバーフロー口に固接され第２の端が腰掛便器の噴射吐水口に固接された第２のオーバーフロー管とを含むことを特徴とする請求項１に記載の腰掛便器自動吐水システム。
【請求項３】
前記少なくとも１本のオーバーフロー通路は、第１の端がタンクのオーバーフロー口に固接され第２の端が腰掛便器の噴射吐水口に固接された第１のオーバーフロー管と、第１の端がバキュームブレーカのオーバーフロー口に固接され第２の端が腰掛便器の内縁吐水口に固接された第２のオーバーフロー管とを含むことを特徴とする請求項１に記載の腰掛便器自動吐水システム。
【請求項４】
前記第１のオーバーフロー管に、前記第１のオーバーフロー管の前記第１の端から前記第２の端の方向に常開状態を保持し逆方向に閉状態を保持する第１のチェックバルブが備えられ、前記第２のオーバーフロー管に、前記第２のオーバーフロー管の前記第１の端から前記第２の端の方向に常開状態を保持し逆方向に閉状態を保持する第２のチェックバルブが備えられていることを特徴とする請求項２または３に記載の腰掛便器自動吐水システム。
【請求項５】
前記第１のチェックバルブは鉛直に取付けられ、前記タンクのオーバーフロー口に通じる端が上方に位置し、前記第２のチェックバルブは鉛直に取付けられ、前記バキュームブレーカのオーバーフロー口に通じる端が上方に位置することを特徴とする請求項４に記載の腰掛便器自動吐水システム。
【請求項６】
前記第１のチェックバルブおよび前記第２のチェックバルブは、上方に位置する弁座と、下方に位置する浮玉とをいずれも含むことを特徴とする請求項５に記載の腰掛便器自動吐水システム。
【請求項７】
請求項１〜６のいずれかに記載の腰掛便器自動吐水システムを含むことを特徴とする電子腰掛便器。
【発明の詳細な説明】
【技術分野】
【０００１】
本発明は、腰掛便器自動吐水システムおよび前記システムを含む電子腰掛便器に関する。
【背景技術】
【０００２】
電子腰掛便器のタンクには、フロートスイッチが設けられており、前記フロートスイッチは、吐水後にタンク中の水位が低下したときに電磁注水弁を制御して開き、タンク中の水位が所定の水位に達したときに電磁注水弁を制御して閉じ、水量がさらに増加することによりタンクが溢れ出すことを防止する。フロートスイッチまたは電磁注水弁に故障が発生した場合、タンク中の水がタンク蓋板の縁またはタンクの側壁の通気孔から漏洩する。
【０００３】
また、腰掛便器の注水管において、汚水の逆流を防止するためにバキュームブレーカが設けられているが、このバキュームブレーカでもオーバーフローの問題が発生することがある。バキュームブレーカのオーバーフローの問題に対し、既知の解決手段としては、オーバーフロー管を用いてバキュームブレーカの空気入口をタンクの通気孔に接続し、バキュームブレーカ中の過剰な水を前記オーバーフロー管からタンク中に流すというものがある。しかしながら、この手法では、タンクとバキュームブレーカでいずれもオーバーフローが必要であるという問題を解決することができず、オーバーフロー時にバキュームブレーカに気泡が発生することがある。
【発明の概要】
【０００４】
本発明の目的は、腰掛便器タンクとバキュームブレーカのオーバーフローの問題を解決可能な腰掛便器自動吐水システムを提供することである。
【０００５】
本発明は第１の態様として、タンクとバキュームブレーカとを含み、タンクまたはバキュームブレーカのオーバーフロー口を腰掛便器セラミックキャビティに接続する少なくとも１本のオーバーフロー通路をさらに有する腰掛便器自動吐水システムを提供する。
【０００６】
有利な実施例において、前記少なくとも１本のオーバーフロー通路は、第１の端がタンクのオーバーフロー口に固接され第２の端が腰掛便器の内縁吐水口に固接された第１のオーバーフロー管と、第１の端がバキュームブレーカのオーバーフロー口に固接され第２の端が腰掛便器の噴射吐水口に固接された第２のオーバーフロー管とを含む。
【０００７】
もう１つの有利な実施例において、前記少なくとも１本のオーバーフロー通路は、第１の端がタンクのオーバーフロー口に固接され第２の端が腰掛便器の噴射吐水口に固接された第１のオーバーフロー管と、第１の端がバキュームブレーカのオーバーフロー口に固接され第２の端が腰掛便器の内縁吐水口に固接された第２のオーバーフロー管とを含む。
【０００８】
好ましくは、前記第１のオーバーフロー管に、前記第１のオーバーフロー管の前記第１の端から前記第２の端の方向に常開状態を保持し逆方向に閉状態を保持する第１のチェックバルブが備えられ、前記第２のオーバーフロー管に、前記第２のオーバーフロー管の前記第１の端から前記第２の端の方向に常開状態を保持し逆方向に閉状態を保持する第２のチェックバルブが備えられている。
【０００９】
さらに好ましくは、前記第１のチェックバルブは鉛直に取付けられ、前記タンクのオーバーフロー口に通じる端が上方に位置し、前記第２のチェックバルブは鉛直に取付けられ、前記バキュームブレーカのオーバーフロー口に通じる端が上方に位置する。
【００１０】
さらに好ましくは、前記第１のチェックバルブおよび前記第２のチェックバルブは、上方に位置する弁座と、下方に位置する浮玉とをいずれも含む。
【００１１】
本発明は第２の態様として、前記腰掛便器自動吐水システムを有する電子腰掛便器を提供する。
【００１２】
本発明に基づき、タンクまたはバキュームブレーカのオーバーフロー口を腰掛便器セラミックキャビティの内縁吐水口または噴射吐水口に連通したオーバーフロー通路を腰掛便器自動吐水システムに設けることによって、タンクまたはバキュームブレーカのオーバーフローの問題を解決し、オーバーフロー時にバキュームブレーカに気泡が発生する問題をなくす。
【００１３】
また、オーバーフロー通路、特にバキュームブレーカのオーバーフロー通路にチェックバルブを設けることによって、吐水時に汚水がオーバーフロー管から逆流することを防止する。
【００１４】
また、オーバーフロー管において、チェックバルブを鉛直に取付け、弁座が浮玉の上方に位置するようにすることにより、逆流をさらに有効に防止する効果を、簡単な構造で提供することができる。
【図面の簡単な説明】
【００１５】
【図１】本発明の実施例の腰掛便器自動吐水システムの概略図である。
【図２】図１に示す腰掛便器自動吐水システムにおいて用いるチェックバルブの構造概略図である。
【発明を実施するための形態】
【００１６】
図１は、本発明の実施例の腰掛便器自動吐水システムを概略的に示す。本発明の腰掛便器自動吐水システムは、使用者が腰掛便器を使用した後に自動的に吐水可能な電子腰掛便器に用いることができる。例えば、赤外線検知プローブを腰掛便器タンクの前側壁に設け、使用者が腰掛便器を使用した後に離れたことを検知プローブが検出したときに、吐水処理を起動することができる。もう１つの選択として、腰掛便器の便座下側に圧力センサを設け、前記圧力センサによって、使用者が腰掛便器に着座し起立したことを検出し、それに応じて吐水処理を起動することもできる。
【００１７】
腰掛便器自動吐水システムは、タンク１を含む。図１に示すように、タンク１にはフロートスイッチ２が付設され、前記フロートスイッチはタンク１内部のフロートに接続されている。吐水後に、タンク１内部の水位が降下し、フロートが自重作用によって対応して降下する。このとき、フロートスイッチ２が開き、電磁注水弁３が対応して開き、給水管からの水道水が注水管４を介してタンク１に入る。タンク１内の水量が増加するのに伴い、フロートが水の浮力作用により、その重力を克服して上昇する。フロートが所定の水位まで上昇したときに、フロートスイッチ２が閉じ、電磁注水弁３がそれに応じて閉じ、タンク１の注水が停止する。
【００１８】
注水管４において各種原因により負圧が生じたときにもたらされる汚水の逆流を防止するため、注水管４にバキュームブレーカ５が設けられている。バキュームブレーカ５は、空気入口６を有し、前記空気入口は、通常の状態では蓋板が被せられている。注水管４に負圧が生じたときに、蓋板が外部の大気圧の作用によって押し開かれるとこにより、外部の空気が空気入口６からバキュームブレーカ５に入ることができるようになり、注水管４中の負圧をなくす。給水管とバキュームブレーカ５との間に、主閉止弁７、フィルタ８および逆止式流量弁９がさらに設けられているが、これらの部材の構造および作用は、いずれも当業者が熟知しているものであり、ここではそれらの詳細な説明は省略する。
【００１９】
タンク１の吐水口は、加圧ポンプ１０を介して分配弁１１に接続されている。分配弁１１は、ステッピングモータＭの制御の下でタンク１からの水流を切り替え、この水流が第１の管継手１２および第１のホース１３を介して腰掛便器の内縁吐水口に流れるようにするか、または第２の管継手１４および第２のホース１５を介して腰掛便器の噴射吐水口に接続する。ステッピングモータＭおよび分配弁１１は、タンク１からの水流を、腰掛便器の内縁吐水口に流れ、かつ腰掛便器の噴射吐水口に流れるように制御し、両者の間の水量の割合を制御することもできる。
【００２０】
タンク１内のフロートまたはこれに接続されるフロートスイッチ２に故障が発生したとき、または電磁注水弁３に故障が発生したとき、タンク１への注水が持続して停止できず、タンク１内の過剰な水がタンクの蓋の縁から漏洩する可能性がある。こうした状況の発生を防止するため、本発明の腰掛便器自動吐水システムには、第１のオーバーフローシステムが設けられており、前記第１のオーバーフローシステムは、タンク１中のタンクのオーバーフロー口と、前記タンクのオーバーフロー口を第１の管継手１２に接続する第１のオーバーフロー管１６とを含む。タンクのオーバーフロー口は、タンク内でフロートスイッチ２が閉じる前記所定の液位の上方に位置する。吐水システムの各部材がいずれも正常に動作しているとき、タンク１内の水位は前記所定の液位を超えることはないため、第１のオーバーフローシステムは動作しない。フロートなどの故障によってタンク１内の水位が前記所定の液位を超え、タンクのオーバーフロー口の高さまで達したときに、過剰な水がタンクのオーバーフロー口から流出し、第１のオーバーフロー管１６を介して第１の管継手１２に流れた後、第１のホース１３を介して腰掛便器の内縁吐水口に流れ、腰掛便器セラミックキャビティ内に入る。図１に示すように、第１のオーバーフローシステムは、さらに第１のオーバーフロー管１６内に第１のチェックバルブ１７が設けられている。第１のチェックバルブ１７は、タンクのオーバーフロー口から第１の管継手１２の方向に常開状態を保持し、第１の管継手１２からタンクのオーバーフロー口の方向の流れを阻止する。
【００２１】
バキュームブレーカ５のオーバーフローの問題を解決するため、本発明の腰掛便器自動吐水システムには、第２のオーバーフローシステムが設けられており、前記第２のオーバーフローシステムは、バキュームブレーカのオーバーフロー口と、前記バキュームブレーカのオーバーフロー口を第２の管継手１４に接続する第２のオーバーフロー管１８とを含む。図１に示すように、第２のオーバーフローシステムは、さらに第２のオーバーフロー管１８内に第２のチェックバルブ１９が設けられている。第２のチェックバルブ１９は、バキュームブレーカのオーバーフロー口から第２の管継手１４の方向に常開状態を保持し、第２の管継手１４からバキュームブレーカのオーバーフロー口の方向の流れを阻止する。オーバーフロー時には、バキュームブレーカ５内の過剰な水がバキュームブレーカのオーバーフロー口から流出し、第２のオーバーフロー管１８を介して第２の管継手１４に流れた後、第２のホース１５を介して腰掛便器の噴射吐水口に流れ、腰掛便器セラミックキャビティ内に入る。
【００２２】
図２は、第１のチェックバルブ１７および第２のチェックバルブ１９の構造概略図を示す。図２に示すように、各チェックバルブは鉛直に取付けられ、かつ上方に位置する弁座２０と、下方に位置する浮玉２１とをいずれも含む。第１のチェックバルブ１７のタンクのオーバーフロー口に通じる一端は上方に位置し、腰掛便器の内縁吐水口に通じる他端は下方に位置する。第２のチェックバルブ１９のバキュームブレーカのオーバーフロー口に通じる一端は上方に位置し、腰掛便器の噴射吐水口に通じる他端は下方に位置する。オーバーフロー時には、タンク１またはバキュームブレーカ５から溢れ出た水流が、浮玉２１を下向きに弁座２０から離す力を生成することにより、チェックバルブが腰掛便器の内縁吐水口または噴射吐水口の方向に開いた状態を保持するようにする。吐水時には、第１のオーバーフロー管１６または第２のオーバーフロー管１８の吐水により、浮玉２１が上向きに弁座２０に当接する力を生成する。吐水していない状態であっても、注水管４中に負圧の逆流が生じている場合でも、第１のオーバーフロー管１６または第２のオーバーフロー管１８内の汚水の浮力によって、浮玉２１が弁座２０に当接する。そのため、チェックバルブがタンクのオーバーフロー口またはバキュームブレーカのオーバーフロー口の方向に閉じた状態にあることを確実にすることにより、汚水がオーバーフローシステムを介してタンクまたはバキュームブレーカに入ることを防止する。
【００２３】
以上、図１と合わせて説明した実施例において、タンク１のオーバーフロー口は第１のオーバーフロー管１６を介して腰掛便器の内縁吐水口に接続され、バキュームブレーカ５のオーバーフロー口は第２のオーバーフロー管１８を介して腰掛便器の噴射吐水口に接続されている。しかしながら、本発明はこれに限られるものではなく、第１のオーバーフロー管１６は、タンクのオーバーフロー口を腰掛便器の噴射吐水口に接続することもでき、第２のオーバーフロー管１８は、バキュームブレーカのオーバーフロー口を腰掛便器の内縁吐水口に接続することもできる。
【００２４】
また、上述した実施例における腰掛便器自動吐水システムには、タンク１に用いられる第１のオーバーフローシステムと、バキュームブレーカ５に用いられる第２のオーバーフローシステムが設けられているが、本発明はこれに限るものではない。１つの実施例において、タンクのオーバーフロー口を腰掛便器の内縁吐水口または噴射吐水口に接続するための１つのオーバーフローシステムのみを設けることができる。もう１つの実施例において、バキュームブレーカのオーバーフロー口を腰掛便器の噴射吐水口または内縁吐水口に接続するための１つのオーバーフローシステムのみを設けることができる。
【００２５】
以上の内容は、本発明の好ましい実施例でしかなく、本発明を制限するためのものではない。当業者は、本発明の範囲を逸脱せずに、本発明の装置に対して多種の改良および変更を行うことができる。当業者は、本明細書において公開した内容を考慮することにより、その他の実施例を得ることもできる。本明細書および実施例は、例示的なものとしてみなされるべきであり、本発明の真の範囲は、請求の範囲および同等の手法により限定される。
【図１】
2014145246.tif 000003
【図２】
2014145246.tif 000004